(57)【要約】【課題】回転角のフィードバック制御が所望の精度で維持されるように制御系の異常を検出する。【解決手段】レゾルバ１２の角度検出信号から得られる制御対象１１の回転角と基準角度とを比較してその差分角度相当の制御信号を生成し、当該制御信号に応じて前記回転角をフィードバック制御する回転角制御装置において、異常検出器２０では差分角度を閾値と比較して差分角度が閾値を超えるとき異常検出信号を出力する。【選択図】図１
2013200268.tif 000002
【特許請求の範囲】
【請求項１】
レゾルバの角度検出信号から得られる制御対象の回転角と基準角度とを比較してその差分角度相当の制御信号を生成し、当該制御信号に応じて前記回転角をフィードバック制御する回転角制御装置に用いられ、前記差分角度を閾値と比較して前記差分角度が前記閾値を超えるとき異常検出信号を出力することを特徴する回転角制御装置の異常検出器。
【請求項２】
前記フィードバック制御が開始されてからその制御が安定するまで前記異常検出処理を停止することを特徴とする請求項１記載の回転角制御装置の異常検出器。
【請求項３】
レゾルバの角度検出信号から得られる制御対象の回転角と基準角度とを比較してその差分角度相当の制御信号を生成し、当該制御信号に応じて前記回転角をフィードバック制御する回転角制御装置に用いられ、前記差分角度を閾値と比較して前記差分角度が前記閾値を超えるとき異常検出信号を出力することを特徴する回転角制御装置の異常検出方法。
【請求項４】
前記フィードバック制御が開始されてからその制御が安定するまで前記異常検出処理を停止することを特徴とする請求項３記載の回転角制御装置の異常検出方法。
【発明の詳細な説明】
【技術分野】
【０００１】
本実施形態は、レゾルバの角度検出信号に基づいて回転角をフィードバック制御する回転角制御装置に用いられ、その制御系の異常を検出する異常検出器及びその異常検出方法に関する。
【背景技術】
【０００２】
回転装置の回転角制御装置には、レゾルバの角度検出信号をＲＤ（レゾルバ／デジタル）コンバータによりデジタルデータに変換して回転角を検出し、この検出角度が指定値となるように回転機構を駆動制御するフィードバック制御がよく用いられる。このような回転角制御装置にあっては、制御系の異常検出をレゾルバからの信号の有無により判断しており、角度制御の精度に対する異常検出がなされていない。
【先行技術文献】
【特許文献】
【０００３】
【特許文献１】特開２０１１−１５８３８９号公報
【発明の概要】
【発明が解決しようとする課題】
【０００４】
以上のように、従来の回転角制御装置の異常検出では、レゾルバの角度検出信号の有無によって判断しており、角度制御の精度に対する異常検出がなされていない。
【０００５】
本実施形態の目的は、回転角のフィードバック制御が所望の精度で維持されるように制御系の異常を検出することのできる回転角制御装置の異常検出器及びその異常検出方法を提供することにある。
【課題を解決するための手段】
【０００６】
本実施形態に係る回転角制御装置の異常検出器は、レゾルバの角度検出信号から得られる制御対象の回転角と基準角度とを比較してその差分角度相当の制御信号を生成し、当該制御信号に応じて前記回転角をフィードバック制御する回転角制御装置に用いられ、前記差分角度を閾値と比較して前記差分角度が前記閾値を超えるとき異常検出信号を出力することによって、問題の解決を図る。
【発明の効果】
【０００７】
本実施形態の構成によれば、角度制御の精度に対しての異常検知が可能となる。したがって、回転角のフィードバック制御が所望の精度で維持されるように制御系の異常を検出することのできる回転角制御装置の異常検出器及びその異常検出方法を提供することができる。
【図面の簡単な説明】
【０００８】
【図１】実施形態に係る回転角制御装置とその異常検出器の構成を示すブロック図。
【図２】図１に示す回転角制御装置の制御例を示す波形図。
【図３】図１に示す異常検出器の異常検出処理手順を示すフローチャート。
【発明を実施するための形態】
【０００９】
以下、実施の形態について、図面を参照して説明する。
【００１０】
図１は実施形態に係る回転角制御装置とその異常検出器の構成を示すブロック図である。図１において、１１は制御対象であり、モータ１１１の駆動により回転機構１１２が指定角度に回転される。回転機構１１２にはレゾルバ１２が装着される。このレゾルバ１２は、励磁コイルにより回転機構１１２の回転による励磁信号を得て、回転角に相当する正弦波信号sinθを出力すると共に、９０度位相をシフトさせた余弦波信号cosθを出力する。これらの直交信号sinθ，cosθはＲ／Ｄコンバータ１３に送られる。このＲ／Ｄコンバータ１３は、入力した直交信号sinθ，cosθからデジタル処理により回転角に相当する角度データを得る。この角度データは角度比較器１４に送られる。
【００１１】
上記角度比較器１４は、基準角度設定器１５を通じて予め指定される基準角度データを入力し、Ｒ／Ｄコンバータ１３からの検出角度データとの差分角度データを得る。この差分角度データは差分電圧制御器１６で差分電圧データに変換されて制御データ生成器１７に送られ、ここで補正角度相当の制御データが生成される。この制御データはＤＡＣ（デジタル・アナログコンバータ）１８でアナログ制御信号に変換された後、駆動アンプ１９に送られ、モータ１１１の回転駆動に供される。
【００１２】
上記構成による回転角制御装置に対して、本実施形態の異常検出器２０は角度比較器１４で得られた差分角度データを取り込み、差分角度が予め設定される閾値を超えたとき、異常と判断し、異常検出信号を出力するものである。
【００１３】
上記構成において、図２及び図３を参照して異常検出器２０の異常検出処理手順について説明する。
【００１４】
まず、運用中においては、回転角制御装置のフィードバック制御により、図２に示すように、制御対象１１の回転角が指定角度に到達した後、角度比較器１４で得られる差分角度が許容範囲Δdegで収束する。
【００１５】
このフィードバック制御に対して、異常検出器２０では、図３に示す手順に従って異常検出を行う。
【００１６】
まず、差分角度が許容範囲Δdegに入ったかを判断し（ステップＳ１）、入った場合には異常監視を開始する（ステップＳ２）。監視中は、差分角度が許容範囲Δdegに相当する閾値を超えるか否かを判断し（ステップＳ３）、閾値を超える場合には異常検出信号を出力し（ステップＳ４）、一連の処理を終了する。
【００１７】
上記の異常検出方法によれば、従来のハード的な故障検出のみならず、角度制御の精度に対しての異常検知が可能となる。これにより、経年劣化等により機械的な部品の劣化（摩耗等）を早期に発見することができ、故障が発生する前に部品の交換や診断を行うことができる。
【００１８】
尚、上記実施形態では、異常検出の閾値を差分角度の許容範囲に合わせるようにしたが、必ずしも合わせる必要はなく、要求される精度に合わせて適宜設定すればよい。また、制御開始直後において、ループ制御が安定するまで時間を要する場合には、その間の異常検出を停止させておくとよい。
【００１９】
その他、上記実施形態はそのままに限定されるものではなく、実施段階ではその要旨を逸脱しない範囲で構成要素を変形して具体化できる。また、上記実施形態に開示されている複数の構成要素の適宜な組み合わせでもよい。例えば、実施形態に示される全構成要素から幾つかの構成要素を削除してもよい。さらに、異なる実施形態にわたる構成要素を適宜組み合わせてもよい。
【符号の説明】
【００２０】
１１…制御対象、１１１…モータ、１１２…回転機構、１２…レゾルバ、１３…Ｒ／Ｄコンバータ、１４…角度比較器、１５…基準角度設定器、１６…差分電圧制御器、１７…制御データ生成器、１８…ＤＡＣ、１９…駆動アンプ、２０…異常検出器。
【図１】
2013200268.tif 000003
【図２】
2013200268.tif 000004
【図３】
2013200268.tif 000005